(57)【要約】【課題】衿元を開いて着用しても衿台のボタンの縫い糸が見えないシャツを提供する。【解決手段】衿台３のボタン７を前記衿台３の内側の生地１２まで縫い糸１４が届かないように衿台３内部の芯地１０に対して縫い付ける。このようにすれば、衿元を開いてシャツを着用した際に衿台３の裏面が露出しても、一番目のボタン７の縫い糸１４が衿台３の内側の生地１２まで届いていないので、一番目のボタン７の縫い糸１４が外観上現れることがなくなり、開いた衿元の美観が大幅に向上される。【選択図】図１
0003105440.tif 000002
【実用新案登録請求の範囲】
【請求項１】
衿台のボタンを前記衿台の内側の生地まで縫い糸が届かないように衿台内部の芯地に対して縫い付けたことを特徴とするシャツ。
【請求項２】
芯地が衿台内部で外側の生地に貼着されていることを特徴とする請求項１に記載のシャツ。
【考案の詳細な説明】
【技術分野】
【０００１】
本考案は、シャツに関するものである。
【背景技術】
【０００２】
図４及び図５は従来におけるシャツの一例を示すもので、図４はシャツの前を閉じ合わせる前の状態を示し、図５はシャツの前を閉じ合わせた時の状態を示している。
【０００３】
図中１はシャツ、２は衿、３は衿台、４は上前身頃（シャツの前を閉じ合わせた時に上側になる前面部分）、５は下前身頃（シャツの前を閉じ合わせた時に下側になる前面部分）、６は衿台３の上前身頃４側の前端部に形成された一番目のボタン孔、７は衿台３の下前身頃５側の前端部に縫着された一番目のボタン、８は上前身頃４の前身端４ａに沿い複数箇所に形成された二番目以降のボタン孔、９は下前身頃５の前身端５ａに沿い複数箇所に縫着された二番目以降のボタンを夫々示しており、衿台３のボタン７をボタン孔６に掛け且つ下前身頃５の各ボタン９を上前身頃４の各ボタン孔８に掛けることでシャツ１の前が閉じ合わされるようになっている（図５参照）。
【考案の開示】
【考案が解決しようとする課題】
【０００４】
しかしながら、近年におけるファッションの流れの中にあっては、図６に示す如く、一番目のボタン７（時には二番目のボタン９も）を外して衿元を開いたラフな着こなしも一般的に浸透してきており、通常のシャツ１でも、ノーネクタイで衿元を開いて着用するケースが増えてきているため、今まで特に外観に関係していなかった衿台３の裏面にあるボタン７の縫い糸の留め部分ｘが目立つようになり、この縫い糸の留め部分ｘが目立つことで衿元の美観が著しく損なわれるという問題があった。
【０００５】
本考案は、上述の実情に鑑みてなしたもので、衿元を開いて着用しても衿台のボタンの縫い糸が見えないシャツを提供することを目的としている。
【課題を解決するための手段】
【０００６】
本考案は、衿台のボタンを前記衿台の内側の生地まで縫い糸が届かないように衿台内部の芯地に対して縫い付けたことを特徴とするシャツ、に係るものである。
【０００７】
而して、このようにすれば、衿元を開いてシャツを着用した際に衿台の裏面が露出しても、一番目のボタンの縫い糸が衿台の内側の生地まで届いていないので、一番目のボタンの縫い糸が外観上現れることがなくなり、開いた衿元の美観が大幅に向上される。
【０００８】
また、本考案においては、芯地が衿台内部で外側の生地に貼着されていることが好ましく、このようにすれば、芯地が一体的に貼着されることで衿台の外側の生地が厚手の一枚ものとして扱えることになり、衿台のボタンを縫い付けるに際し、その縫い糸が衿台の内側の生地まで届かないことによるボタン付けの強度低下が極力回避される。
【考案の効果】
【０００９】
上記した本考案のシャツによれば、下記の如き種々の優れた効果を奏し得る。
【００１０】
（Ｉ）本考案の請求項１に記載のシャツによれば、衿元を開いて着用しても衿台のボタンの縫い糸が見えないので、開いた衿元の美観を従来より大幅に向上することができ、シャツのラフな着こなしをおしゃれに楽しむことができる。
【００１１】
（ＩＩ）本考案の請求項２に記載のシャツによれば、衿台のボタンの縫い糸が衿台の内側の生地まで届かないことによるボタン付けの強度低下を極力回避することができる。
【考案を実施するための最良の形態】
【００１２】
以下本考案の実施の形態を図示例と共に説明する。
【００１３】
図１〜図３は本考案の実施の形態の一例を示すもので、図中図４〜図６と同一の符号を付した部分は同一物を表わしている。
【００１４】
図１に要部を拡大した断面図で示している如く、一番目のボタン７が縫い付けられる衿台３は、その形状保持性を高めるべく芯地１０を挟み込んで外側の生地１１と内側の生地１２とをステッチ１３で縫い合わせるようにしてあるが、本形態例においては、一番目のボタン７を衿台３内部の芯地１０に対して縫い付けるようにしている。
【００１５】
即ち、従来においては、図２のように、一番目のボタン７の縫い糸１４が芯地１０を貫通して衿台３の内側の生地１２に縫い付けられていたものを、図１の形態例では、内側の生地１２まで縫い糸１４が届かないように衿台３内部で芯地１０に縫い付けている。
【００１６】
ここで、外側の生地１１と内側の生地１２との間に挟み込まれる芯地１０は、衿台３を縫製し易くする観点から片面に接着樹脂を貼付してあるのが通常であるが、本形態例においては、衿台３内部で芯地１０を外側の生地１１側に貼着したものとしてある。
【００１７】
尚、一番目のボタン７は、衿台３を縫製した後に縫い付けられることになるため、通常のボタン付け用の縫製機械を使用せずに、作業者の手縫いにより衿台３内部で芯地１０に縫い付けられることになる。
【００１８】
而して、このようにシャツ１を構成すれば、図３に示す如く、衿元を開いてシャツ１を着用した際に衿台３の裏面が露出しても、一番目のボタン７の縫い糸１４が衿台３の内側の生地１２まで届いていないので、一番目のボタン７の縫い糸１４が外観上現れることがなくなり、開いた衿元の美観が大幅に向上される。
【００１９】
また、外側の生地１１に芯地１０が一体的に貼着されることで衿台３の外側の生地１１が厚手の一枚ものとして扱えることになり、衿台３のボタン７を縫い付けるに際し、その縫い糸１４が衿台３の内側の生地１２まで届かないことによるボタン付けの強度低下が極力回避される。
【００２０】
従って、上記形態例によれば、衿元を開いて着用しても衿台３のボタン７の縫い糸１４が見えないので、開いた衿元の美観を従来より大幅に向上することができ、シャツ１のラフな着こなしをおしゃれに楽しむことができ、しかも、衿台３のボタン７の縫い糸１４が衿台３の内側の生地１２まで届かないことによるボタン付けの強度低下を極力回避することもできる。
【００２１】
尚、本考案のシャツは、上述の形態例にのみ限定されるものではなく、本考案の要旨を逸脱しない範囲内において種々変更を加え得ることは勿論である。
【図面の簡単な説明】
【００２２】
【図１】本考案を実施する形態の一例を示す断面図である。
【図２】図１の破断位置に相当する従来の断面図である。
【図３】本形態例のシャツの衿元を開けた着用状態を示す正面図である。
【図４】従来のシャツの前を閉じ合わせる前の状態を示す正面図である。
【図５】図４のシャツの前を閉じ合わせた時の状態を示す正面図である。
【図６】従来のシャツの衿元を開けた着用状態を示す正面図である。
【符号の説明】
【００２３】
１  シャツ
３  衿台
７  一番目のボタン
１０  芯地
１１  外側の生地
１２  内側の生地
１４  縫い糸
【図１】
0003105440.tif 000003
【図２】
0003105440.tif 000004
【図３】
0003105440.tif 000005
【図４】
0003105440.tif 000006
【図５】
0003105440.tif 000007
【図６】
0003105440.tif 000008